(57)【要約】      （修正有）【課題】１つのサイズでほた木の幅広いサイズに適用することができ、しかもずれ落ちにくい害虫忌避バンドを提供する。【解決手段】リング状の害虫忌避バンドであって、害虫忌避材の複数枚の銅板３を、ゴムバンド２（伸縮部材）の全周にわたり隣どうし間隔を設けて配置する。ゴムバンドを使用することで可撓性や伸縮性に優れたものとなり、太さが異なるほた木に対してもフィットさせることができる。【選択図】図１
0003148932.tif 000002
【実用新案登録請求の範囲】
【請求項１】
リング状の害虫忌避バンドであって、
複数個の害虫忌避材が全周にわたり隣どうし間隔を設けて配置されており、隣接する当該害虫忌避材間がゴム弾性を有する伸縮部材で構成されていることを特徴とする害虫忌避バンド。
【請求項２】
前記害虫忌避材が、銅または銅合金であることを特徴とする請求項１記載の害虫忌避バンド。
【請求項３】
リング状に形成された前記伸縮部材に、前記各害虫忌避材が取り付けられた構成になっていることを特徴とする請求項１または２記載の害虫忌避バンド。
【請求項４】
前記各害虫忌避材には外方に張り出した張出部が設けられ、前記間隔は害虫が通り抜けできない幅に設定されていることを特徴とする請求項１〜３のいずれかに記載の害虫忌避バンド。
【請求項５】
前記伸縮部材が、天然ゴムを主原料として形成されたゴムバンドであることを特徴とする請求項１〜４のいずれかに記載の害虫忌避バンド。
【考案の詳細な説明】
【技術分野】
【０００１】
本考案は、椎茸などの植物が栽培されているほた木にナメクジなどの害虫が這い上がってくることを防止し、栽培されている植物を害虫の被害から保護する害虫忌避バンドに関する技術である。
【背景技術】
【０００２】
植物を害虫から保護する害虫忌避具として、例えば、害虫忌避剤が練り込まれた生分解性プラスチックを略環状に形成し、一部に断裂部を設けた可撓性を有する害虫忌避リングが公知になっている（例えば、特許文献１参照）。この害虫忌避リングは、樹木の枝や幹などに巻き付けることによって、害虫忌避剤の虫除け作用により害虫を近づけないようにすることができる。また、生分解性プラスチックで形成されているため、寿命などにより劣化して地面に落ちれば地中の微生物によって分解され、最終的に炭酸ガスと水などに分解される。
【特許文献１】特開２００７−７７０８３号公報（第３〜４頁、第１図）
【考案の開示】
【考案が解決しようとする課題】
【０００３】
しかしながら、椎茸などの植物を栽培するために用いられるほた木に使用する場合、上記の害虫忌避具は半径方向に変形しこそすれ周方向の伸縮性はほとんどないため、様々な太さのほた木に対応するためには何種類もの径の異なる害虫忌避リングを準備しておく必要がある。また、太さが下に向かって細くなっているほた木に装着すると、ずれ落ちやすいという欠点がある。
【０００４】
そこで本考案は、１つのサイズでほた木の幅広いサイズに適用することができ、しかもずれ落ちにくい害虫忌避バンドを提供することを課題としている。
【課題を解決するための手段】
【０００５】
請求項１記載の害虫忌避バンドは、リング状の害虫忌避バンドであって、複数個の害虫忌避材が全周にわたり隣どうし間隔を設けて配置し、隣接する当該害虫忌避材間をゴム弾性を有する伸縮部材で構成することを特徴としている。この請求項１の害虫忌避バンドによれば、椎茸などの植物を栽培するためのほた木の下端部に装着すれば、前記害虫忌避材の虫除け作用により、前記ほた木に這い上がろうとする害虫を追い払うことができる。しかも、前記害虫忌避材間をゴム弾性を有する前記伸縮部材で構成することによって可撓性や伸縮性に優れたものとなり、太さが異なる前記ほた木に対してもフィットさせることができる。なお、前記害虫忌避材には、薬剤が滲出する樹脂成形体や銅、銅合金などを用いることができる。
【０００６】
請求項２記載の害虫忌避バンドは、害虫忌避材を、銅または銅合金とすることを特徴としている。この請求項２の害虫忌避バンドによれば、銅の虫除け作用によりほた木の植物を害虫から保護することができるし、入手しやすい材料であるため安定した生産が可能になる。なお、前記合金としては、例えば、黄銅を用いることができる。
【０００７】
請求項３記載の害虫忌避バンドは、リング状に形成された伸縮部材に、各害虫忌避材を取り付ける構成とすることを特徴としている。この請求項３の害虫忌避バンドによれば、製造が容易になる。
【０００８】
請求項４記載の害虫忌避バンドは、各害虫忌避材には外方に張り出した張出部を設け、前記害虫忌避材の間隔を害虫が通り抜けできない幅に設定することを特徴としている。この請求項４の害虫忌避ゴムバンドによれば、前記張出部によってほた木に這い上がろうとする害虫を阻害することができる。
【０００９】
請求項５記載の害虫忌避バンドは、リング状バンドを、天然ゴムを主原料として形成されたゴムバンドとすることを特徴としている。この請求項５の害虫忌避ゴムバンドによれば、天然ゴムが引張強度など機械的性質に優れていることから、耐久性を向上させることができる。
【考案の効果】
【００１０】
請求項１の害虫忌避バンドは、１つのサイズでほた木の幅広いサイズに対応することができ、装着に関しても輪ゴムと同じ要領でほた木に取り付けることができるため利便性に優れ、手軽に使用することができる。
【００１１】
請求項２の害虫忌避バンドは、安定した供給を行なうことができる。
【００１２】
請求項３の害虫忌避バンドは、効率良く製造することができる。
【００１３】
請求項４の害虫忌避バンドは、小片の張出部によってほた木を這い上がろうとする害虫を確実に阻止することができるため、栽培されている植物の害虫による被害をなくすことができる。
【００１４】
請求項５の害虫忌避バンドは、長期間繰り返し使用することができる。
【考案を実施するための最良の形態】
【００１５】
以下、本考案に係る害虫忌避バンドの実施形態について第１図および第２図を参照しつつ説明する。なお、同一の符号が付されているものは、同一または相当する関係にあることを示している。
【００１６】
害虫忌避バンド１は、第１図（ａ）、（ｂ）に示すように、半径方向の厚みが薄い扁平な断面形状を有した環状体である。即ち、害虫忌避バンド１は、半径方向の厚みに対し半径方向と直交する方向（Ｘ矢印方向）の幅を広くした平たい断面形状を有するリング状のゴムバンド２（伸縮部材）に、害虫忌避材である複数枚の銅板３を所定の間隔で取り付けたものである。この害虫忌避バンド１を、第１図（ｃ）に示すように、立設したほた木４の下部に装着すれば、銅板３の虫除け作用により地面からほた木４を這い上がろうとするなめくじ等の害虫を追い払、栽培されている椎茸などの植物を害虫の被害から保護することができる。
【００１７】
ゴムバンド２は、引張強度などの機械的性質に優れた天然ゴムを主原料として形成されており、耐久性に優れる。銅板３は、厚みが薄い長方形状に形成されており、ゴムバンド２に対し巻くようにして取り付けられている。即ち、銅板３を、その長手方向をＸ矢印方向に一致させて配置するとともに、片面の長手方向中間部がゴムバンド２の外周面に当接するように配置し、ゴムバンド２のＸ矢印方向における両端に沿って内側に折り曲げることで付け取り付けられている。こうして取り付けられた銅板３が、ゴムバンド２の周方向にほぼ等間隔で取り付けられており、その間隔は、ゴムバンド２が伸びた状態において銅板３間の全域に銅の虫除け作用が及ぶように設定されている。
【００１８】
このように、害虫忌避バンド１は複数の銅板３を所定の間隔を設けてゴムバンド２に取り付けた構造になっているため、ゴムバンド２の可撓性や伸縮性が損なわれず、ほた木４の太さが異なってもフィットさせることができ、例えば、太さが下に向かって徐々に細くなっている形状のほた木４に装着してもずれ落ちることがない。
【００１９】
なお、銅板３の代わりに黄銅などの銅の合金を使用することもでき、ゴムバンド２は断面形状が円形や角形などに形成されたものでも良く、材質は天然ゴムに限らず耐候性に優れたゴムを主原料として用いることもできる。
【００２０】
また、銅板３’は、上記形状に限ることはなく、線形のものをゴムバンド２に巻き付けた形態のものでもかまわなし、次のような形状にすることもできる。即ち、第２図に示すように、長方形状に形成した銅板を、長手方向がＸ矢印方向（図面上下方向）と一致するように配置するとともに、片面の長手方向中間部がゴムバンド２の内周面２ａに当接するように配置する。そして、下側をゴムバンド２の下端２ｂに沿って外周面２ｃ側に折り曲げ、さらにその先端部３ａ’を内方向に折り曲げてゴムバンド２の外周面２ｃに当接させることによりゴムバンド２を挟持した状態で取り付けられている。一方、上側を、ゴムバンド２の上端２ｄに沿って外周面２ｃ側にやや傾いた状態に曲げ、ゴムバンド２の半径方向外側に張り出した張出部３ｂ’を形成する。このように取り付けられる銅板３’を、間を害虫が通り抜けできないような間隔でゴムバンド２の全周に配置する。こうして形成された害虫忌避バンド１’は、ほた木４を這い上がろうとする害虫を銅板３’の張出部３ｂ’によって阻害することができるため、栽培されている椎茸などの植物を害虫の被害からより確実に守ることができる。
【図面の簡単な説明】
【００２１】
【図１】（ａ）本考案に係る害虫忌避バンドを示す斜視図、（ｂ）図（ａ）におけるＡ−Ａ方向矢視縦断面図、（ｃ）ほた木に取り付けた場合の使用態様を示す図。
【図２】銅板の別の実施形態を示す害虫忌避バンドの部分拡大図。
【符号の説明】
【００２２】
１      害虫忌避バンド
２      ゴムバンド（伸縮部材）
２ａ    内周面
２ｂ    下端
２ｃ    外周面
２ｄ    上端
３      銅板（害虫忌避材）
４      ほた木
１’    害虫忌避バンド
３’    銅板（害虫忌避材）
３ａ’  先端部
３ｂ’  張出部
【図１】
0003148932.tif 000003
【図２】
0003148932.tif 000004